(57)【要約】表示ユニット１は、第１の存続期間の期間中にライン４１、４５、４９を選択するための選択回路４０を有する。結果として、この期間は、最小のデータパルスに等しく選ばれるべきであり、比較的高いクロック周波数は、選択回路４０に対して利用されるべきである。ライン４１、４５、４９を選択するための選択信号の第１の存続期間とは異なる第２の存続期間のパルスを有するデータ信号を供給するための手段３０、６０、７０、８０、９０を導入することによって、目下、データ信号は、選択回路４０のクロック周波数とは無関係に画素へ供給されうる。結果として、選択回路４０は、比較的低いクロック周波数で動作可能であり、これは電力消費を低減させる。望ましくは、第２の存続期間は、第１の存続期間よりも短く、前記手段は、共通電極回路６０と、蓄積キャパシタ回路７０と、選択回路４０及びデータ回路３０へ加えられるべき回路８０、９０とを有する。
2007530999.tif 000002
【特許請求の範囲】
【請求項１】
双安定画素を有する表示パネル；
第１の存続期間の期間中に、画素を有するラインを選択するための選択回路；及び
前記第１の存続期間とは異なる第２の存続期間のパルスを有するデータ信号を画素へ供給する手段；
を有する表示ユニット。
【請求項２】
前記第２の存続期間は、前記第１の存続期間よりも短い、ことを特徴とする請求項１記載の表示ユニット。
【請求項３】
画素は、共通電極へ結合され、
前記手段は、前記共通電極を介して前記画素を駆動するための共通電極回路を有する、
ことを特徴とする請求項１記載の表示ユニット。
【請求項４】
画素は、蓄積キャパシタへ結合され、
前記手段は、前記蓄積キャパシタを介して前記画素を駆動するための蓄積キャパシタ回路を有する、
ことを特徴とする請求項１記載の表示ユニット。
【請求項５】
画素の１つの側は共通電極へ結合され、他の側は蓄積キャパシタへ結合され、
前記手段は、逆位相で前記共通電極及び前記蓄積キャパシタを介して前記画素を駆動するための共通電極回路及び蓄積キャパシタ回路を有する、
ことを特徴とする請求項１記載の表示ユニット。
【請求項６】
前記手段は、少なくとも２つのラインを同時に選択するための選択回路へ結合された回路を有する、ことを特徴とする請求項１記載の表示ユニット。
【請求項７】
前記手段は、少なくとも２つの電極を互いへ結合するためのデータ回路へ結合された回路を有する、ことを特徴とする請求項１記載の表示ユニット。
【請求項８】
振動データパルス；
１又はそれ以上のリセットデータパルス；及び
１又はそれ以上の駆動データパルス；
を前記画素へ供給するよう構成された制御装置を更に有する、請求項１記載の表示ユニット。
【請求項９】
請求項１記載の表示ユニットを有し、表示されるべき情報を格納するための記憶媒体を更に有する、表示装置。
【請求項１０】
双安定画素を有する表示パネル；及び
第１の存続期間の期間中に、画素を有するラインを選択するための選択回路；
を有する表示ユニットを駆動するための方法であって、
前記第１の存続期間とは異なる第２の存続期間のパルスを有するデータ信号を画素へ供給するステップを有する方法。
【請求項１１】
双安定画素を有する表示パネル；及び
第１の存続期間の期間中に、画素を有するラインを選択するための選択回路；
を有する表示ユニットを駆動するためのプロセッサプログラムであって、
前記第１の存続期間とは異なる第２の存続期間のパルスを有するデータ信号を画素へ供給する機能を有するプロセッサプログラム。
【発明の詳細な説明】
【技術分野】
【０００１】
本発明は、表示ユニットと、表示ユニットを有する表示装置と、表示ユニットを駆動するための方法と、表示ユニットを駆動するためのプロセッサプログラムプロダクトとに関する。
【０００２】
このような表示装置の例としては、モニタ、ラップトップコンピュータ、パーソナルデジタルアシスタント（ＰＤＡ）、携帯電話、並びに、電子ブック、電子新聞及び電子雑誌がある。
【背景技術】
【０００３】
先行技術の表示ユニットは、一般的に知られており、行及び列で配置された画素を有する。夫々の画素は、共通の電極又はカウンタ電極へ結合され、画素電極を介してトランジスタのドレインへ結合される。トランジスタのソースは、列電極又はデータ電極へ結合され、トランジスタのゲートは、行電極又は選択電極へ結合される。画素、トランジスタ並びに行及び列電極のこの配置は、連帯してアクティブマトリクスを形成する。行駆動部（選択駆動部）は、画素の行を選択するために行駆動信号又は選択信号を供給し、列駆動部（データ駆動部）は、列電極及びトランジスタを介して画素の選択された行へ列駆動信号又はデータ信号を供給する。
【０００４】
夫々の画素は、例えば、帯電された粒子を有するマイクロカプセルに対応する。画素電極へ印加された正又は負の電圧に依存して、粒子は移動し、画素は見ている者にとって白く／色付きとなり、あるいは暗くなる。電圧が取り除かれるとき、表示ユニットは、得られた状態のままであり、双安定特性を示す。
【０００５】
（夫々の行を順次に駆動することによって及び行ごとに１度に同時に全ての列を駆動することによって）１度に全ての行で全ての画素を駆動するために必要とされる時間間隔は、フレームと呼ばれる。フレームごとに、画素を駆動するための夫々のデータは、行ごとに、この行を選択（駆動）するために行へ行駆動信号（選択信号）を供給するための行駆動動作と、例えばデータパルスのようなデータ信号を画素へ供給するための列駆動動作とを必要とする。後者は、同時に行の全ての画素に対して行われる。
【０００６】
例えば２０のフレームを有する画像更新時間間隔の間に、画像は更新される。その後のフレームの間に、データ信号は供給される。このとき、データ信号は、０、１、２から、例えば１５のフレーム期間の存続期間を有する。それによって、零フレーム期間の存続期間を有するデータ信号は、例えば、画素が既にフルブラックを表示していたとすると、フルブラックを表示する画素に対応する。画素があるグレー値を表示していた場合に、このグレー値は、画素が零フレーム期間の存続期間を有するデータ信号により駆動される場合、言い換えると、零振幅を有するデータパルスにより駆動される場合には、変更されないままである。例えば１５のフレーム期間の存続期間を有するデータ信号は、１５のデータパルスを有し、結果として画素にフルホワイトを表示させることができる。１から１４のフレーム期間の存続期間を有するデータ信号は、例えば、１から１４のデータパルスを有し、結果として、画素に、フルブラックとフルホワイトとの間のグレー値の有限な数のうちの１つを表示させることができる。
【０００７】
故に、行駆動動作又は選択動作の間に、データパルスは、特定の行の画素に並列に供給される。従って、夫々のデータパルスは、行駆動動作の存続期間に実質的に等しい、言い換えると、選択信号の存続期間に実質的に等しい存続期間を有する。結果として、選択信号の所与の存続期間は、あるいは、言い換えると、選択駆動部の所与のクロック周波数は、データパルスの幅を決定する。逆の場合にも同様に、データパルスの所与の幅は、選択駆動部の所要のクロック周波数を決定する。
【０００８】
既知の表示ユニットは、とりわけ、データパルスが、使用されるべき最小のクロック周波数を決定する最小幅を有することに起因して不利である。比較的高いクロック周波数により、比較的高い電力消費がもたらされる。
【発明の開示】
【発明が解決しようとする課題】
【０００９】
本発明は、とりわけ、選択駆動部が比較的低いクロック周波数でクロック制御される場合に比較的小さな幅を有するデータパルスが画素へ供給可能である表示ユニットを提供することを目的とする。
【００１０】
更に、本発明は、とりわけ、選択駆動部が比較的低いクロック周波数でクロック制御される場合に比較的小さな幅を有するデータパルスが画素へ供給可能である表示ユニットを有する表示装置を提供することと、選択駆動部が比較的低いクロック周波数でクロック制御される場合に比較的小さな幅を有するデータパルスが画素へ供給可能である表示ユニット（との組合せ）での使用のために、表示ユニットを駆動するための方法及び表示ユニットを駆動するためのプロセッサプログラムプロダクトを提供することとを目的とする。
【課題を解決するための手段】
【００１１】
本発明に従う表示ユニットは：
双安定画素を有する表示パネル；
第１の存続期間の期間中に、画素を有するラインを選択するための選択回路；及び
前記第１の存続期間とは異なる第２の存続期間のパルスを有するデータ信号を画素へ供給する手段；
を有する。
【００１２】
前記第１の存続期間とは異なる第２の存続期間のパルスを有するデータ信号を画素へ供給する手段を導入することによって、目下、データ信号は、選択回路（選択駆動部）のクロック周波数とは無関係に画素へ供給されうる。結果として、選択回路は、比較的低いクロック周波数で動作可能である。これは、電力消費を低減させる。比較的幅広いデータパルスは、（基本的な）選択回路の制御下で依然として供給されるが、比較的小さなデータパルスは、目下、加えられた手段を介して、（基本的な）選択回路から独立して供給される。
【００１３】
前記第２の存続期間が前記第１の存続期間とは異なるという事実は、以下のように注目されるべきである。先行技術の状況では、データ回路を介して供給され、選択回路によって制御されるデータパルスの第１の存続期間及び選択信号の存続期間は、実質的に同じである。この場合に、本発明に従って、加えられた手段を介して供給されるデータパルスの第２の存続期間及び選択信号の存続期間は、実質的に互いとは異なっている（１％未満の偏差。）。更に、本発明は、また、有利に、データ回路を介して供給され、選択回路によって制御されるデータパルスと比較して、連続した、より大きな幅を有するデータパルスの供給を、加えられた手段を介して可能にする。
【００１４】
本発明に従う表示ユニットの一実施形態は、前記第１の存続期間よりも短い第２の存続期間によって特徴付けられる。この場合に、以下で述べられる振動データパルスは、加えられた手段を介して供給され、以下で述べられる駆動データパルス及びリセットデータパルスは、選択回路によって制御されるデータ回路を介して供給される。例えば、振動データパルスよりも一層幅広い駆動データパルスであって、選択回路のクロック周波数を目下決定する駆動データパルスの幅により、選択回路は、低減されたクロック周波数でクロック制御可能であり、多くの電力消費が節約される。
【００１５】
本発明に従う表示ユニットの一実施形態は、画素が共通電極へ結合され、前記手段が前記共通電極を介して前記画素を駆動するための共通電極回路を有することによって特徴付けられる。この場合に、例えば、振動データパルスは、共通電極を介して供給される。
【００１６】
本発明に従う表示ユニットの一実施形態は、画素が蓄積キャパシタへ結合され、前記手段が前記蓄積キャパシタを介して前記画素を駆動するための蓄積キャパシタ回路を有することにより特徴付けられる。この場合に、例えば、振動データパルスは、蓄積キャパシタを介して供給される。一方では、全ての蓄積キャパシタは、同じ蓄積キャパシタへ結合される。この場合に、全ての画素は、蓄積キャパシタを介して同時に駆動されうる。あるいは、あるラインの画素へ結合された蓄積キャパシタは、例えば、隣のラインへ結合される。その場合に、例えば、奇数及び偶数のラインにある画素は、蓄積キャパシタを介して別々に駆動されるべきである。
【００１７】
本発明に従う表示ユニットの一実施形態は、画素の１つの側が共通電極へ結合され、他の側が蓄積キャパシタへ結合され、前記手段が逆位相で前記共通電極及び前記蓄積キャパシタを介して前記画素を駆動するための共通電極回路及び蓄積キャパシタ回路を有することにより特徴付けられる。この場合に、例えば、振動データパルスは、共通電極を介して第１の符号の電圧信号を送ることによって、及び、蓄積キャパシタを介して第２の逆符号の電圧信号を送ることによって、画素へ供給される。これは、低電力回路の有利な使用を可能にする。
【００１８】
本発明に従う表示ユニットの一実施形態は、前記手段が、少なくとも２つのラインを同時に選択するための選択回路へ結合された回路を有することにより特徴付けられる。この場合に、（基本的な）選択回路は、少なくとも２つ、望ましくは全てのラインを同時に選択するための手段により拡張される。その場合に、駆動データパルス及びリセットデータパルスは、（基本的な）選択回路の制御下で供給され、この場合に、振動データパルスは、このような手段を介して少なくとも２つ、望ましくは全てのラインへ同時に、且つ、選択回路（のクロック周波数）とは無関係に供給される。
【００１９】
本発明に従う表示ユニットの一実施形態は、前記手段が、少なくとも２つの電極を互いへ結合するためのデータ回路へ結合された回路を有することにより特徴付けられる。この場合に、データ回路は、少なくとも２つ、望ましくは全てのデータ電極を互いへ結合するための手段により拡張される。その場合に、駆動データパルス及びリセットデータパルスは、選択回路の制御下で供給され。この場合に、振動データパルスは、このような手段を介して少なくとも２つ、望ましくは全てのデータ電極へ同時に、且つ、選択回路（のクロック周波数）とは無関係に供給される。
【００２０】
本発明に従う表示ユニットの一実施形態は、振動データパルスと、１又はそれ以上のリセットデータパルスと、１又はそれ以上の駆動データパルスとを前記画素へ供給するよう構成された制御装置を更に有することにより特徴付けられる。振動データパルスは、画素の履歴への電気泳動表示ユニットの光応答の依存度を低減する。振動データパルスは、電気泳動粒子を２つの電極のうちの一方で定常状態から解放するのに十分であるが、電気泳動粒子が電極のうちの他方に到達することを可能にするには低すぎるエネルギーを表すパルスを有する。画素の履歴への依存度が低減されたために、同一データに対する光応答は、画素の履歴とは無関係に、実質的に等しくなりうる。根本的なメカニズムは、表示装置が所定の状態、例えば黒状態へと切り替えられた後に、電気泳動粒子が定常状態となるという事実によって説明可能である。白状態へのその後の切替えが行われる場合に、粒子の運動量は、それらの初期速度が零に近いために低い。これは、画素の履歴への高い依存度が、この高い依存度を解消するために長い切替え時間をもたらすことに結実する。振動データパルスの適用は、電気泳動粒子の運動量を増大させ、ひいては、より短い切替え時間をもたらすよう依存度を低減する。リセットデータパルスは、駆動データパルスに柔軟な開始点（一定の黒又は一定の白）を決定することによって、表示ユニットの光応答を更に改善するよう駆動データパルスに先行する。代替的に、リセットデータパルスは、駆動データパルスに柔軟な開始点（後の駆動データパルスによって決定されるべきグレー値に依存して、その値に最も近く選択されるべき黒又は白）を決定することによって、表示ユニットの光応答を更に改善するよう駆動データパルスに先行する。
【００２１】
本発明に従う方法及び本発明に従うプロセッサプログラムプロダクトの実施形態は、本発明に従う表示ユニットの実施形態に対応する。
【００２２】
本発明は、とりわけ、選択回路の所与のクロック周波数が、選択回路の制御下で画素へ供給されるべきデータパルスの幅を決定するという見識に基づき、とりわけ、選択回路の所与のクロック周波数に対して、更なる手段が、異なる存続期間を有するデータパルスを供給するために導入されるべきであるという基本的な考えに基づく。
【００２３】
本発明は、とりわけ、選択駆動部が比較的低いクロック周波数によってクロック制御される場合に比較的小さい幅を有するデータパルスが画素へ供給されうるところの表示ユニットを提供する問題を解決し、とりわけ、表示ユニットが比較的低い電力消費を有する点で有利である。
【００２４】
本発明のこれら及び他の態様は、後述する実施形態から明らかであり、これら実施形態を参照して説明される。
【発明を実施するための最良の形態】
【００２５】
図１で（断面図で）示される表示ユニットの双安定画素１１は、（プラスチック又はガラスのような）下部基板２と、接着層３と共通電極４との間に存在する電子インクを有する（下部基板２に積層された）電気泳動フィルムとを有する。接着層３は、透明な画素電極５を設けられている。電子インクは、直径が約１０から５０ミクロンの複数のマイクロカプセル７を有する。夫々のマイクロカプセル７は、液体１０に浮かべられた、正に帯電された白色粒子８及び負に帯電された黒色粒子９を有する。正の電圧が画素電極５へ印加される場合に、白色粒子８は、共通電極４へ向かうマイクロカプセル７の側へ移動し、画素は、見ている者にとって可視的となる。同時に、黒色粒子９は、それらが見ている者から隠されるところのマイクロカプセル７の反対側へ移動する。負の電圧を画素電極５へ印加することによって、黒色粒子９は、共通電極４へ向かうマイクロカプセル７の側へ移動し、画素は、見ている者にとって暗くなる（図示せず。）。電圧が取り除かれるとき、粒子８、９は、得られた状態のままであり、ディスプレイは、双安定特性を示し、実質的に電力を消費しない。代替的なシステムでは、粒子は、同じ基板に置かれうる電極によって駆動されて、面内方向に移動しうる。
【００２６】
図２に示される（電気泳動）表示ユニット１は、ライン、即ち行、即ち選択電極４１、４５、４９と、列、即ちデータ電極３１、３２、３３との交点の領域で、画素１１のマトリクスを有する表示パネル５０を有する。これらの画素１１は、全て、共通電極２２へ結合されており、夫々の画素１１は、それ自体の画素電極５へ結合されている。表示ユニット１は、行電極４１、４５、４９へ結合された選択駆動回路４０（ライン、即ち行、即ち選択駆動部）と、列電極３１、３２、３３へ結合されたデータ駆動回路３０（列、即ちデータ駆動部）とを更に有し、画素１１ごとに能動切替え素子１２を有する。表示ユニット１は、これらの能動切替え素子１２（本例では、（薄膜）トランジスタ。）によって駆動される。選択駆動回路４０は、連続して行電極４１、４５、４９を選択し、一方、データ駆動回路３０は、データ信号を列電極３１、３２、３３へ供給する。望ましくは、制御装置２０は、最初に、入力部２１を介して届く入来データを処理し、次に、データ信号を発生させる。データ駆動回路３０と選択駆動回路４０との間の相互同期は、駆動ライン２３及び２４を介して行われる。選択駆動回路４０からの選択信号は、トランジスタ１２を介して画素電極５を選択する。トランジスタ１２のドレイン電極は、画素電極５へ電気的に結合されており、トランジスタ１２のゲート電極は、行電極４１、４５、４９へ電気的に結合されており、トランジスタ１２のソース電極は、列電極３１、３２、３３へ電気的に結合されている。列電極３１、３２、３３に存在するデータ信号は、同時に、トランジスタ１２のドレイン電極へ結合された画素１１の画素電極５へ伝送される。トランジスタの代わりに、ダイオード、ＭＩＭなどのような、他の切替え素子が使用可能である。データ信号及び選択信号は、共に、駆動信号（の一部）を形成する。
【００２７】
入力部２１を介して受信可能な画像情報のような入来信号は、制御装置２０によって処理される。それに加えて、制御装置２０は、新しい画像に関する新しい画像情報の到達を検出し、それに応じて、受信された画像情報の処理を開始する。このような画像情報の処理は、新しい画像情報のロード、制御装置２０のメモリ内に記憶された前の画像と、新しい画像との比較、温度センサとの相互作用、駆動波形の参照テーブルを含むメモリのアクセス、などを有しても良い。最後に、制御装置２０は、このような画像情報の処理が用意できている場合を検出する。
【００２８】
その場合に、制御装置２０は、駆動ライン２３を介してデータ駆動回路３０へ供給されるべきデータ信号を発生させ、駆動ライン２４を介して選択駆動回路４０へ供給されるべき選択信号を発生させる。これらのデータ信号は、全ての画素１１に対して同じであるデータ非依存信号と、画素１１ごとに変化しうる、又は変化し得ないデータ依存信号とを有する。データ非依存信号は、振動データパルスを有し、データ依存信号は、１又はそれ以上のリセットデータパルスと、１又はそれ以上の駆動データパルスとを有する。これらの振動データパルスは、２つの電極５、６のうちの一方で定常状態から（電気泳動）粒子８、９を解放するのに十分であるが、粒子８、９が電極５、６のうちの他方に到達することができないほどに低いエネルギーを表すパルスを有する。履歴への低減した依存度ために、同一データに対する光応答は、画素１１の履歴とは無関係に、実質的に等しい。故に、振動データパルスは、画素１１の履歴への表示ユニットの光応答の依存度を低減する。リセットデータパルスは、駆動データパルスに柔軟な開始点を決定することによって、光応答を更に改善するよう駆動データパルスに先行する。この開始点は、黒又は白のレベルであり、次の駆動データパルスによって決定されるグレー値に依存して、その値の最も近くに設定されうる。代替的に、リセットデータパルスは、データ非依存信号の一部を形成しても良く、駆動データパルスに柔軟な開始点を決定することによって、表示ユニットの光応答を更に改善するよう駆動データパルスに先行しても良い。この開始点は、一定の黒又は一定の白のレベルであっても良い。
【００２９】
図３では、時間の関数として画素１１の両端の電圧を表す波形が、（電気泳動）表示ユニット１を駆動するよう示されている。この波形は、データ駆動回路３０を介して供給されるデータ信号を用いて発生する。波形は、第１の振動データパルスＳｈ１と、それに続く１又はそれ以上のリセットデータパルスＲと、第２の振動データパルスＳｈ２と、１又はそれ以上の駆動データパルスＤｒを有する。例えば、１６個の異なる波形は、制御装置２０の一部を形成し、且つ／あるいは、それへ結合されたメモリ、例えば参照テーブルに格納されている。入力部２１を介して受信されたデータに応答して、制御装置２０は、画素１１に対して波形を選択し、対応する駆動回路３０、４０を介して及び対応するトランジスタ１２を介して対応する画素１１へ対応する選択信号及びデータ信号を供給する。
【００３０】
フレーム期間は、（順次に夫々の行を駆動することによって及び行ごとに１度に同時に全ての列を駆動することによって）１度に表示ユニット１内の全ての画素１１を駆動するために用いられる時間間隔に対応する。フレーム中に画素１１へデータ依存信号又はデータ非依存信号を供給するために、データ駆動回路３０は、行の全ての画素１１がこれらのデータ依存又はデータ非依存信号を同時に受信するような方法で制御装置２０によって制御される。これは、行ごとに行われ、同時に、制御装置２０は、行が順次に選択されるような方法で選択駆動回路４０を制御する（選択された行にある全てのトランジスタ１２は、導通状態に至る。）。
【００３１】
フレームの第１の組の間に、第１及び第２の振動データパルスＳｈ１及びＳｈ２は、画素１１へ供給される。夫々の振動データパルスは、１つのフレーム期間の存続期間を有する。先発の振動データパルスは、例えば、正の振幅を有し、次は負の振幅を有し、更に次は正の振幅を有する。従って、これらの交互振動データパルスは、フレーム期間が比較的短い限りは、画素１１によって表示されるグレー値を変更しない。
【００３２】
１又はそれ以上のフレーム期間を有するフレームの第２の組の間に、リセットデータパルスＲの組合せが、更に以下で述べられるように供給される。１又はそれ以上のフレーム期間を有するフレームの第３の組の間に、駆動データパルスＤｒの組合せが供給される。駆動データパルスＤｒの組合せは、零フレーム期間の存続期間を有し、実際には零振幅を有するパルスであり、あるいは、１、２から、例えば１５のフレーム期間の存続期間を有する。それによって、零フレーム期間の存続期間を有する駆動データパルスＤｒは、例えば、フルブラックを表示する画素１１に対応する（画素１１がフルブラックを予め表示した場合。あるグレー値を表示する場合に、このグレー値は、零フレーム期間の存続期間を有する駆動データパルスにより駆動される際に、言い換えると、零振幅を有するデータパルスにより駆動される際に、変更されないままである。）。１５のフレーム期間の存続期間を有する駆動データパルスＤｒの組合せは、１５のその後のパルスを有し、例えば、フルホワイトを表示する画素１１に対応し、１から１４のフレーム期間の存続期間を有する駆動データパルスＤｒの組合せは、１から１４のその後のデータパルスを有し、例えば、フルブラックとフルホワイトとの間のグレー値の有限な数のうちの１つを表示する画素１１に対応する。
【００３３】
リセットデータパルスＲは、駆動データパルスＤｒに対して柔軟な開始点（一定の黒又は一定の白）を決定することによって、表示ユニット１の光応答を更に改善するよう駆動データパルスＤｒに先行する。代替的に、リセットデータパルスＲは、駆動データパルスＤｒに対して柔軟な開始点（次の駆動データパルスによって決定するべきグレー値に依存して、その値に最も近く選択されるべき黒又は白）を決定することによって、表示ユニットの光応答を更に改善するよう駆動データパルスＤｒに先行する。
【００３４】
図４では、表示パネル５０の一部が図式的に示されている。この部分は、４個の画素１１を有する。第１の画素１１は、トランジスタ１２を介して行電極４３へ及び列電極３４へ結合されている。第２の画素１１はトランジスタ１２を介して行電極４３へ及び列電極３５へ結合されている。第３の画素１１は、トランジスタ１２を介して行電極４４へ及び列電極３４へ結合されている。第４の画素１１は、トランジスタ１２を介して行電極４４へ及び列電極３５へ結合されている。第１及び第２の画素１１は、夫々、蓄積キャパシタ１３を介して前の行電極４２へ結合されており、第３及び第４の画素１１は、夫々、蓄積キャパシタ１３を介して前の行電極４３へ結合されている。画素１１は、更に、共通電極２２へ結合されている。
【００３５】
蓄積キャパシタ１３は、画素１１において信号の安定を改善する。蓄積キャパシタを前の行電極（又は、代替的に、次の行電極へ）へ結合することによって、別個の蓄積ラインは回避される。行の駆動は、比較的短い行駆動信号に起因して、次の行にある画素１１において信号を、蓄積キャパシタ１３を介して、比較的少ししか乱さない。ほとんどの時間、行は駆動されず、その行電極は所定の電圧にある。
【００３６】
図４に示される共通電極２２は、更に、共通電極回路６０へ結合されている。共通電極回路６０は、主接点６２が共通電極２２へ結合されているスイッチ６１を有する。切替え接点６３、６４及び６５は、夫々、例えば、共通モード電圧、正の電圧及び負の電圧の夫々を受ける。スイッチ６１は、矢印６６によって示されるように制御装置２０を介して制御される。トランジスタ１２を介して画素１１へ駆動データパルス及びリセットデータパルスを供給する際に、スイッチ６１は、切替え接点６３へ結合される。画素１１へ正の（負の）振動データパルスを供給するために、スイッチ６１は、切替え接点６４（６５）へ結合されるべきである。故に、振動データパルスは、この場合に共通電極２２を介して到達し、選択回路４０は、駆動データパルス及びリセットデータパルスが振動データパルスよりも幅広いことにより、比較的低いクロック周波数でクロック制御される。ここで、ラインを選択するための選択信号の第１の存続期間は、振動データパルスの第２の存続期間よりも一層長くなりうる。このように画素１１へ振動パルスを供給している間に、ラインは、例えば、選択されない。代替的に、例えば、１つのラインは、その時点で選択されても良く、あるいは、例えば、２又はそれ以上のラインは、同時に選択されても良く（図６参照。）、例えば、選択されたラインにある画素１１へトランジスタ１２を介して低電圧信号を供給する。
【００３７】
図５では、表示パネル５０の一部が図式的に示されている。この部分は、夫々の蓄積キャパシタ１３が前の行へ結合されずに、目下、蓄積ライン２５へ結合されている点を除いて、図４に示された部分に対応する。この蓄積ライン２５は、蓄積キャパシタ回路７０へ結合されている。蓄積キャパシタ回路７０は、その主接点７２が蓄積ライン２５へ結合されているスイッチ７１を有する。切替え接点７３、７４及び７５は、夫々、例えば、蓄積ライン電圧、正の電圧及び負の電圧の夫々を受ける。スイッチ７１は、矢印７６によって示されるように制御装置２０を介して制御される。トランジスタ１２を介して画素１１へ駆動データパルス及びリセットデータパルスを供給する際に、スイッチ７１は、切替え接点７３へ結合される。画素１１へ正の（負の）振動データパルスを供給するために、スイッチ７１は、切替え接点７４（７５）へ結合されるべきである。故に、振動データパルスは、この場合に蓄積ライン２５を介して到達し、選択回路４０は、駆動データパルス及びリセットデータパルスが振動データパルスよりも幅広いことにより、比較的低いクロック周波数でクロック制御される。ここで、ラインを選択するための選択信号の第１の存続期間は、振動データパルスの第２の存続期間よりも一層長くなりうる。このように画素１１へ振動パルスを供給している間に、ラインは、例えば、選択されず、トランジスタ１２は、非導通状態にある。望ましくは、ＤＣ電圧信号が、トランジスタ１２を非導通、即ち、高インピーダンス状態に至らせるようラインへ供給される。
【００３８】
スイッチ６１、７１は、例えば、１又はそれ以上のトランジスタ及び／又は１又はそれ以上のダイオードなどを有する。図４及び図５に示される両実施形態は、組合せ可能である。この場合に、スイッチ６１、７１は、振動データパルスを供給する際に、逆位相で動作すべきである。これは、スイッチ６１を切替え接点６４へ結合し、同時にスイッチ７１を切替え接点７５へ結合することによって、その逆の場合も同様に、あるいは、接点６４、６５（又は７４、７５）を入れ替えることによって行われる。その場合に、切替え接点６４、６５、７４、７５は、それらが非導通状態で受けるために用いた電圧の半分のみを受けることを必要とする。これは、回路６０、７０において、より少ない電力消費をもたらす。
【００３９】
図６では、選択回路４０は、少なくとも２つのライン４１、４５、４９を同時に選択するために回路８０へ結合されている。それに加えて、回路８０は、例えば、マルチプレクサを有する。マルチプレクサの第１の入力部は、選択回路４０の出力部へ結合されており、マルチプレクサの第２の入力部は、互いへ及び選択電圧を受けるための電極８１へ結合されている。マルチプレクサの出力部は、ライン４１、４５、４９へ結合されている。マルチプレクサは、矢印８２によって示されるように制御装置２０を介して制御される。トランジスタ１２を介して画素１１へ駆動データパルス及びリセットデータパルスを供給する際に、マルチプレクサは、その第１の入力部をライン４１、４５、４９へ結合する。この場合にもやはりトランジスタ１２を介して、画素１１へ振動データパルスを供給するために、マルチプレクサは、その第２の入力部をライン４１、４５、４９へ結合する。故に、振動データパルスは、この場合にもトランジスタ１２を介して到達するが、マルチプレクサが、画素１１へ振動データパルスを同時に供給するために、少なくとも２つ、望ましくは全てのライン４１、４５、４９を選択するよう処理することにより、選択回路４０が比較的高いクロック周波数でクロック制御される必要はなくなる。
【００４０】
この場合に、振動データパルスは、データ回路３０を介して供給され、同時に、制御装置２０は、このデータ回路３０を制御するよう処理する。もちろん、マルチプレクサの代わりに、他の回路が、回路８０を実施するために使用可能である。この回路８０は、更に、部分的又は全体的に、選択回路４０に組み込まれても良い。先と同じく、この場合に、ラインを選択するための選択信号の第１の存続期間は、振動データパルスの第２の存続期間よりも一層長くなりうる。
【００４１】
図７では、データ回路３０は、少なくとも２つの電極３１、３２、３９を互いへ結合するために回路９０へ結合されている。それに加えて、回路９０は、例えば、マルチプレクサを有する。マルチプレクサの第１の入力部は、データ回路３０の出力部へ結合されており、マルチプレクサの第２の入力部は、互いへ及び振動データパルスを受けるための電極９１へ結合されている。マルチプレクサの出力部は、ライン３１、３２、３９へ結合されている。マルチプレクサは、矢印９２によって示されるように制御装置２０を介して制御される。トランジスタ１２を介して画素１１へ駆動データパルス及びリセットデータパルスを供給する際に、マルチプレクサは、その第１の入力部をデータ電極３１、３２、３９へ結合する。この場合にもやはりトランジスタ１２を介して、画素１１へ振動データパルスを供給するために、マルチプレクサは、その第２の入力部をデータ電極３１、３２、３９へ結合する。故に、振動データパルスは、この場合にもトランジスタ１２を介して到達するが、マルチプレクサが、ラインごとに画素１１へ振動データパルスを同時に供給するために、少なくとも２つ、望ましくは全てのデータ電極３１、３２、３９を選択するよう処理することにより、選択回路４０が比較的高いクロック周波数でクロック制御される必要はなくなる。この場合に、１又はそれ以上の振動データパルスは、そのライン４１、４５、４９の選択の間に、ライン４１、４５、４９にある夫々の画素１１へ供給されても良い。図６に開示されるような実施形態との組合せにおいて、これは、代替的に、全てのラインに対して同時に実施されても良い。
【００４２】
マルチプレクサの代わりに、他の回路が、回路９０を実施するために使用可能である。この回路９０は、更に、部分的又は全体的に、データ回路３０に組み込まれても良い。先と同じく、この場合に、ラインを選択するための選択信号の第１の存続期間は、振動データパルスの第２の存続期間よりも一層長くなりうる。
【００４３】
概して、選択回路４０は、第１の存続期間の期間中に、画素１１を有するラインを選択し、手段３０、６０、７０、８０、９０は、画素１１へのデータ信号の供給を可能にするよう配置される。このデータ信号は、第２の存続期間のパルスを有する。この第２の存続期間は、第１の存続期間とは異なっている。故に、最も複雑性の低い実施形態に従って、手段は、選択回路４０とは異なったクロック周波数で動作するデータ回路３０のみを有し、あるいは、代替的に、データ回路３０は、その場合に、選択回路４０がクロック制御されるところのクロック周波数に対応しない存続期間を有するデータパルスを有するデータ信号を供給する。
【００４４】
制御装置２０は、例えば、波形に関する情報を格納するための参照テーブルメモリのような、メモリ（図示せず。）へ結合されている。本発明は、電気泳動表示パネルに限定されず、双安定画素に基づく如何なる表示パネルに関して使用されても良い。上記実施形態のうちの２又はそれ以上は、夫々、有利に組み合わされても良い。振動パルスの供給のために本発明を用いる代わりに、他の目的が、例えば、選択回路４０がクロック制御されるところのクロック周波数とは無関係に表示ユニット１を消去、リセット及び／又はプリセットするように、果たされても良い。有利な実施形態では、多数のライン（行）が同時に選択される。その場合に、フレーム期間は、より短くなり、更新率は、より高くなる。例えば、１０の行が同時に選択される場合に、フレーム期間は、１０倍短くなり、更新率は、１０倍高くなりうる。もちろん、この場合に、１０のラインにある画素１１は、列ごとに同じ情報を受け取ることになる。
【００４５】
留意すべきは、上述した実施例は、本発明を限定するのではなく説明するものであり、且つ、当業者は、添付の特許請求の範囲の適用範囲から外れることなく、多数の代わりの実施例を設計することができることである。特許請求の範囲において、括弧内の如何なる参照符号も請求項を限定するように解釈されるべきではない。語「有する」及びその活用形の使用は、当該請求項に挙げられたもの以外の他の要素又はステップの存在を認めないわけでない。要素の前に置かれている語「一つの」は、このような要素が複数存在することを認めないわけではない。本発明は、幾つかの別個の個別素子を有するハードウェアを用いて、且つ、適切にプログラムされたコンピュータを用いて実施されても良い。幾つかの手段を挙げている装置クレームにおいて、これらの手段の幾つかは、ハードウェアの同一の項目によって具現化されても良い。ある手段が相互に異なる従属請求項で挙げられているという単なる事実は、これらの手段の組み合わせが有利に使用され得ないということを示しているわけではない。
【図面の簡単な説明】
【００４６】
【図１】双安定画素を（断面図で）示す。
【図２】表示ユニットを図式的に示す。
【図３】表示ユニットを駆動するための波形を示す。
【図４】共通電極を介して共通電極回路へ結合された画素を有する表示パネルの一部を図式的に示す。
【図５】蓄積キャパシタを介して蓄積キャパシタ回路へ結合された画素を有する表示パネルの一部を図式的に示す。
【図６】少なくとも２つのラインを同時に選択するための回路へ結合された選択回路を図式的に示す。
【図７】少なくとも２つのデータ電極を互いへ結合するための回路へ結合されたデータ回路を図式的に示す。
【図１】
2007530999.tif 000003
【図２】
2007530999.tif 000004
【図３】
2007530999.tif 000005
【図４】
2007530999.tif 000006
【図５】
2007530999.tif 000007
【図６】
2007530999.tif 000008
【図７】
2007530999.tif 000009
【国際調査報告】
2007530999.tif 000010
2007530999.tif 000011
2007530999.tif 000012